(57)【要約】      （修正有）【課題】ネイル塗料固化用の発光ダイオードおよびネイル塗料固化用のＬＥＤランプを提供する。【解決手段】発光ダイオードの技術分野に関し、特に固定底枠１１と固定底枠にパッケージされるＬＥＤチップとを含むネイル塗料固化用の発光ダイオード１に関する。ＬＥＤチップはＬＥＤチップＡ（１３）とＬＥＤチップＢ（１４）を含み、ＬＥＤチップＡは発光した波長が３２０−３８０ｎｍであり、ＬＥＤチップＢは発光した波長が３８０−４３０ｎｍであることを特徴とする。それは発光波長の範囲が広く、複数の光源を有する特徴を有し、各種の異なる光開始剤を使用したネイル塗料を効果的に固化させることができ、使用がより便利である。かつ、さらにネイル塗料固化用の発光ダイオードを開示し、それは構成が簡単であり、発光波長の範囲が広く、各種のネイル塗料に対して効果的に固化する特徴に適用される。【選択図】図１
0003203160.tif 000002
【実用新案登録請求の範囲】
【請求項１】
固定底枠（１１）と固定底枠（１１）にパッケージされるＬＥＤチップとを含むネイル塗料固化用の発光ダイオードであって、前記ＬＥＤチップはＬＥＤチップＡ（１３）とＬＥＤチップＢ（１４）とを含み、前記ＬＥＤチップＡ（１３）は発光した波長が３２０−３８０ｎｍであり、前記ＬＥＤチップＢ（１４）は発光した波長が３８０−４３０ｎｍであることを特徴とするネイル塗料固化用の発光ダイオード
【請求項２】
前記ＬＥＤチップはさらにＬＥＤチップＣ（１５）を含み、前記ＬＥＤチップＣ（１５）は発光した波長が６５０−６６０ｎｍであることを特徴とする請求項１に記載のネイル塗料固化用の発光ダイオード。
【請求項３】
前記ＬＥＤチップはさらにＬＥＤチップＤ（１６）を含み、前記ＬＥＤチップＤ（１６）は発光した波長が５８０−５９０ｎｍであることを特徴とする請求項１に記載のネイル塗料固化用の発光ダイオード。
【請求項４】
前記ＬＥＤチップＡ（１３）とＬＥＤチップＢ（１４）には蛍光粉末が塗布され、前記蛍光粉末が活性化された後に発光した波長が５８０−５９０ｎｍであることを特徴とする請求項１に記載のネイル塗料固化用の発光ダイオード。
【請求項５】
前記ＬＥＤチップＡ（１３）は発光した波長が３６５ｎｍであり、前記ＬＥＤチップＢ（１４）は発光した波長が４０５ｎｍであり、前記ＬＥＤチップＣ（１５）は発光した波長が６６０ｎｍであることを特徴とする請求項２に記載のネイル塗料固化用の発光ダイオード。
【請求項６】
前記ＬＥＤチップＡ（１３）は発光した波長が３６５ｎｍであり、前記ＬＥＤチップＢ（１４）は発光した波長が４０５ｎｍであことを特徴とするる請求項３または４に記載のネイル塗料固化用の発光ダイオード。
【請求項７】
前記ＬＥＤチップは透光性樹脂（１２）によって固定底枠にパッケージされることを特徴とする請求項１乃至５のいずれか一項に記載のネイル塗料固化用の発光ダイオード。
【請求項８】
ネイル塗料固化用のＬＥＤランプであって、基板（６）を含み、前記基板（６）には発光ダイオードＡ（２０）と発光ダイオードＢ（３０）とが集積され、前記発光ダイオードＡ（２０）は固定底枠（１１）と固定底枠（１１）にパッケージされるＬＥＤチップＡ（１３）とを含み、前記ＬＥＤチップＡ（１３）は発光した波長が３２０−３８０ｎｍであり、前記発光ダイオードＢ（３０）は固定底枠（１１）と固定底枠（１１）にパッケージされるＬＥＤチップＢ（１４）とを含み、前記ＬＥＤチップＢ（１４）は発光した波長が３８０−４３０ｎｍであることを特徴とするネイル塗料固化用のＬＥＤランプ。
【請求項９】
前記基板（６）にはさらに発光ダイオードＣ（４０）が集積され、前記発光ダイオードＣ（４０）は固定底枠（１１）と固定底枠（１１）にパッケージされるＬＥＤチップＣ（１５）とを含み、前記ＬＥＤチップＣ（１５）は発光した波長が６５０−６６０ｎｍであることを特徴とする請求項８に記載のネイル塗料固化用のＬＥＤランプ。
【請求項１０】
前記基板（６）にはさらに発光ダイオードＤ（５０）が集積され、前記発光ダイオードＤ（５０）は固定底枠（１１）と固定底枠（１１）にパッケージされるＬＥＤチップＤ（１６）とを含み、前記ＬＥＤチップＤ（１６）は発光した波長が５８０−５９０ｎｍであることを特徴とする請求項８に記載のネイル塗料固化用のＬＥＤランプ。
【請求項１１】
さらにランプホルダー（２）を含み、前記ランプホルダー（２）には電源プラグピン（４）およびヒートシンク（５）が接続され、前記基板（６）がヒートシンク（５）に固定され、前記ランプホルダー（２）にはさらに係止ヘッド（３）が接続されることを特徴とする請求項８乃至１１のいずれか一項に記載のネイル塗料固化用のＬＥＤランプ。
【考案の詳細な説明】
【技術分野】
【０００１】
本案は発光ダイオードの技術分野に関するものであり、特にネイル塗料固化用の発光ダイオードに関するものである。本案はネイル塗料固化用のＬＥＤランプを同時に開示している。
【背景技術】
【０００２】
人々の生活レベルの向上に伴って、美に対する追求は形式がますます多様になっている。ネイル（指の爪／足指の爪に対して装飾美化を行う）はそのうちの１つの代表的な形式であり、指の爪の塗装、指の爪の描写、指の爪のエアブラシ、つけ爪接着シール、アクリリックネイルおよびジェルネイルなどに分かれる。なお、ジェルネイルはアクリリックネイルの取り換え製品であり、それが指の爪／足指の爪を塗料（或いは、ソークオフジェルとも称する）を塗布する必要があり、その後に紫外線を利用して塗料を固化させ、塗料における天然樹脂が真の爪の表面に重合され、従って強靱性、光沢を付けた指の爪を作り出す。塗料は樹脂の底入れなので落としにくく、扱うことが便利であり、そのため、ジェルネイルはますます多くの美しさを愛する女性に人気がある。
【０００３】
ＬＥＤ技術の成熟に伴って、ＬＥＤランプはネイル塗料の固化に応用され、次第に既存の蛍光紫外線管を取り替える。
【０００４】
目前、市場でのネイル塗料固化用のＬＥＤランプの発光範囲は狭く、光源が単一であり、ますますネイルの必要を満足することができない。それは、目前、環境保護、コストなどの諸方面を考慮し、異なるメーカーに製造したネイル塗料が、異なる開始剤を採用する可能性があり、例えば、ドイツＢＡＳＦ会社が製造したアロイルホスフィン酸化物およびアロイルホスホン酸塩光開始剤であって、その最大吸収波長が約３６５ｎｍであり、スイスＣｉＢＡ会社が製造したトリメチルベンゾイルホスホン酸ジエチル光開始剤であって、その最大吸収波長が約３８０ｎｍであり、国産のベンゾフェノン光開始剤であって、その最大吸収波長が約３４０ｎｍであるので、目前、市場でのネイル塗料固化用のＬＥＤランプは必要を満足することができず、つまり、異なるネイル塗料を使用する時に、ＬＥＤランプやランプ管、ネイル機を使用する必要が、このように極めて不便であるからである。
【０００５】
このため、既存技術は大きな改善の余地を有する。
【考案の概要】
【考案が解決しようとする課題】
【０００６】
本案の目的はネイル塗料固化用の発光ダイオードを提供することであり、それは、発光の波長範囲が広く、複数の光源を有する特徴を有し、各種の異なる光開始剤を使用したネイル塗料を効果的に固化することができ、使用が便利である。
【０００７】
それと同時に、本案はさらにネイル塗料固化用のＬＥＤランプを開示しており、それは複数の単一光の発光ダイオードが集積され、構成が簡単であり、使用が便利であり、および各種の異なる光開始剤を使用したネイル塗料を効果的に固化させる特徴を有する。
【課題を解決するための手段】
【０００８】
上記目的を実現するために、本案は以下の技術方案を採用する。
【０００９】
本案に係るネイル塗料固化用の発光ダイオードは、固定底枠と固定底枠にパッケージされるＬＥＤチップとを含み、前記ＬＥＤチップがＬＥＤチップＡとＬＥＤチップＢとを含む。前記ＬＥＤチップＡは発光的した波長が３２０−３８０ｎｍであり、前記ＬＥＤチップＢは発光した波長が３８０−４３０ｎｍである。
【００１０】
以上の方案によれば、前記ＬＥＤチップはさらにＬＥＤチップＣを含み、前記ＬＥＤチップＣは発光した波長が６５０−６６０ｎｍでる。
【００１１】
以上の方案によれば、前記ＬＥＤチップはさらにＬＥＤチップＤを含み、前記ＬＥＤチップＤは発光した波長が５８０−５９０ｎｍである。
【００１２】
以上の方案によれば、前記ＬＥＤチップＡとＬＥＤチップＢには蛍光粉末が塗布され、前記蛍光粉末が活性化された後に発光した波長が５８０−５９０ｎｍである。
【００１３】
以上の方案によれば、前記ＬＥＤチップＡは発光した波長が３６５ｎｍであり、前記ＬＥＤチップＢは発光した波長が４０５ｎｍであり、前記ＬＥＤチップＣは発光した波長が６６０ｎｍである。
【００１４】
以上の方案によれば、前記ＬＥＤチップＡは発光した波長が３６５ｎｍであり、前記ＬＥＤチップＢは発光した波長が４０５ｎｍである。
【００１５】
以上の方案によれば、前記ＬＥＤチップは透光性樹脂によって固定底枠にパッケージされる。
【００１６】
本案に係るネイル塗料固化用のＬＥＤランプは、基板を含み、前記基板には発光ダイオードＡと発光ダイオードＢとが集積されている。前記発光ダイオードＡは固定底枠と固定底枠にパッケージされるＬＥＤチップＡとを含み、前記ＬＥＤチップＡは発光した波長が３２０−３８０ｎｍである。前記発光ダイオードＢは固定底枠と固定底枠にパッケージされるＬＥＤチップＢとを含み、前記ＬＥＤチップＢは発光した波長が３８０−４３０ｎｍである。
【００１７】
以上の方案によれば、前記基板にはさらに発光ダイオードＣが集積され、前記発光ダイオードＣが固定底枠と固定底枠にパッケージされるＬＥＤチップＣとを含み、前記ＬＥＤチップＣは発光した波長が６５０−６６０ｎｍである。
【００１８】
以上の方案によれば、前記基板にはさらに発光ダイオードＤが集積され、前記発光ダイオードＤが固定底枠と固定底枠にパッケージされるＬＥＤチップＤとを含み、前記ＬＥＤチップＤは発光した波長が５８０−５９０ｎｍである。
【００１９】
以上の方案によれば、本案に係るネイル塗料固化用のＬＥＤランプはさらにランプホルダーを含み、前記ランプホルダーには電源プラグピンおよびヒートシンクが接続され、前記基板がヒートシンクに固定され、前記ランプホルダーにはさらに係止ヘッドが接続される。
【００２０】
本案に係るネイル塗料固化用の発光ダイオードは、少なくとも２つの独立した発光光源、すなわち、ＬＥＤチップＡとＬＥＤチップＢとを含む。前記ＬＥＤチップＡは発光した波長が３２０−３８０ｎｍであり、前記ＬＥＤチップＢは発光した波長が３８０−４３０ｎｍであり、それは基本的に既存のすべての開始剤の最適の吸収波長を満足し、よい固化効果を実現する。また、本案に係るネイル塗料固化用のＬＥＤランプは、２つの独立した発光ダイオードを含み、それぞれの発光波長が３２０−３８０ｎｍおよび３８０−４３０ｎｍであり、各種のネイル塗料が塗布された指の爪／足指の爪に対してよい固化を行うことができ、設備を交換する必要がなく、極大に便利程度を向上させる。
【図面の簡単な説明】
【００２１】
【図１】図１は本案に係るネイル塗料固化用の発光ダイオードの第１の実施例の構成模式図である。
【図２】図２は本案に係るネイル塗料固化用の発光ダイオードの第２の実施例の構成模式図である。
【図３】図３は本案に係るネイル塗料固化用の発光ダイオードの第３の実施例の構成模式図である。
【図４】図４は本案に係るネイル塗料固化用のＬＥＤランプの全体構成模式図である。
【図５】図５は本案に係るネイル塗料固化用のＬＥＤランプにおける発光ダイオードの構成模式図である。
【考案を実施するための形態】
【００２２】
以下、図面を参照しながら本案の技術方案を説明する。
【００２３】
（第１の実施例）
図１に示すように、本案に係るネイル塗料固化用の発光ダイオード１は、固定底枠１１と固定底枠１１にパッケージされるＬＥＤチップとを含み、具体的には、前記ＬＥＤチップは透光性樹脂１２によって固定底枠１１にパッケージされる。前記ＬＥＤチップはＬＥＤチップＡ１３とＬＥＤチップＢ１４とを含み、前記ＬＥＤチップＡ１３は発光した波長が３２０−３８０ｎｍであり、前記ＬＥＤチップＢ１４は発光した波長が３８０−４３０ｎｍである。
【００２４】
目前、主なネイル塗料は使用した光開始剤の最適の吸収波長が３４０ｎｍ、３６５ｎｍ、３８０ｎｍおよび４０５ｎｍなどであることが多く、既存の単一光源（発光した波長が３６５ｎｍである）のネイル設備はもう必要を満足することができず、すなわち、異なるネイル塗料が塗布された指の爪／足指の爪を固化する時に、異なるネイル設備を使用する必要があり、このように、操作が極めて不便である。
【００２５】
本案に係るネイル塗料固化用の発光ダイオード１は、２種の光源を採用して同時に発光し、すなわち、前記ＬＥＤチップＡ１３は発光した波長が３２０−３８０ｎｍであるが、本案はＬＥＤチップＡ１３が発光した波長が３６５ｎｍであることが好ましく、前記ＬＥＤチップＢ１４は発光した波長が３８０−４３０ｎｍであるが、本案はＬＥＤチップＢ１４が発光した波長が４０５ｎｍであることが好ましい。このように、従来技術の不足および欠陥を効果的に克服する。本案に係る発光ダイオードのネイル設備を採用すると、基本的に前記ネイル塗料を適用し、それを効果的に固定させ、使用が極めて便利である。
【００２６】
（第２の実施例）
図２に示すように、本実施が第１の実施例との違いは、前記ＬＥＤチップはさらにＬＥＤチップＣ１５を含み、前記ＬＥＤチップＣ１５は発光した波長が６５０−６６０ｎｍであるが、前記ＬＥＤチップＣ１５は発光した波長が６６０ｎｍであることが好ましいことである。
【００２７】
周知のように、紫外線がスペクトルにおける紫色光の外に位置し、不可視光である。紫外線は照射すると、皮膚に大量の遊離基を発生させ、細胞膜の過酸化反応を引き起こし、メラニン細胞に多くのメラニンを発生させ、かつ上へ表皮角質層まで分布し、黒い斑点をもたらす。ネイル過程において、紫外線の作用時間が短いが、紫外線の皮膚に対する損傷をできるだけ回避する必要がある。
【００２８】
本実施例は既存の第１の実施例の基礎で、ＬＥＤチップＣ１５を増加する。このように設置すると、既存の長所を改変せず（各種のネイル塗料に対してよい固化効果を有する）、さらに第１の実施例における不足を解決し（紫外線は皮膚を黒くしやすい）、それぞれＬＥＤチップＣ１５および発光ダイオードＣ４を増加する。その発光した波長が６５０−６６０ｎｍであり、近赤外光であるので、人体の皮膚は近赤外光に照射された後に、主に細胞のミトコンドリアに吸収される。ミトコンドリアは細胞の"肺"であり、近赤外光が照射された後に、ミトコンドリアのカタラーゼの活性を増加させ、このように細胞の代謝を増加させることができ、グリコーゲンの含有量を増加させ、蛋白合成およびアデノシン三リン酸分解を増加させ、そのため、それは細胞合成を促進し、かつ遊離基を除去することができる。
【００２９】
（第３の実施例）
本実施例が第１の実施例との違いは、黄色光源を増加することである。
【００３０】
図３に示すように、本実施例の一実施形態として、前記ＬＥＤチップはさらにＬＥＤチップＤ１６を含み、前記ＬＥＤチップＤ１６は発光した波長が５８０−５９０ｎｍである。
【００３１】
周知のように、紫外ＬＥＤランプは可視の青紫色光および不可視の紫外線を発射することができる。これらの光は使用者の目に不快を感じさせ、ネイル過程において、光ファイバーの作用時間が短いが、光線による人の不快をできるだけ回避する必要がある。
【００３２】
本案は既存の第１の実施例がＬＥＤチップＡ１３とＬＥＤチップＢ１４とを含む基礎で、ＬＥＤチップＤ１６を増加する。このように設置すると、既存の長所を改変せず（各種のネイル塗料に対してよい固化效果を有する）、さらに第１の実施例における不足を解決し（紫外光は目を不快または損傷にしやすい）、ＬＥＤチップＤ１６を増加する。その発光した波長は５８０−５９０ｎｍであり、黄色光であり、色の光の相補の原理に基づいて、黄色光と紫外発光ダイオードから発した青紫色光とが混合し、温白色の光を取得することを採用し、従って使用者に快適な感覚を感じさせる。
【００３３】
本実施例の第２の実施形態として、前記ＬＥＤチップＡ１３とＬＥＤチップＢ１４には蛍光粉末が塗布され、前記蛍光粉末が活性化された後に発光した波長が５８０−５９０ｎｍである。すなわち、蛍光粉末は前記ＬＥＤチップＡ１３およびＬＥＤチップＢ１４の照射で活性化された後に黄色光を主とする光を発出し、さらに青紫色光と混合し、温白色の光を取得する。前記蛍光粉末は単一の蛍光粉末であっでも良く、複数種の異なる蛍光粉末の混合物であっでもよいと説明する必要である。
【００３４】
（第４の実施例）
図４および図５に示すように、本案に係るネイル塗料固化用のＬＥＤランプは、基板６を含み、前記基板６には発光ダイオードＡ２０と発光ダイオードＢ３０とが集積される。前記発光ダイオードＡ２０は固定底枠１１と固定底枠１１にパッケージされるＬＥＤチップＡ１３とを含み、前記ＬＥＤチップＡ１３は発光した波長が３２０−３８０ｎｍである。前記発光ダイオードＢ３０は固定底枠１１と固定底枠１１にパッケージされるＬＥＤチップＢ１４とを含み、前記ＬＥＤチップＢ１４は発光した波長が３８０−４３０ｎｍである。
【００３５】
目前、主なネイル塗料は使用した光開始剤の最適の吸収波長は３４０ｎｍ、３６５ｎｍ、３８０ｎｍおよび４０５ｎｍなどであることが多い。既存の単一光源（発光した波光が３６５ｎｍである）のネイル設備はもう必要を満足することができず、すなわち、異なるネイル塗料が塗布された指の爪／足指の爪を固定する時に、異なるネイル設備を使用する必要があり、このように、操作は極めて不便である。
【００３６】
本案に係るネイル塗料固化用のＬＥＤランプは、二種の光源を採用して同時に発光し、すなわち、前記発光ダイオードＡ２０におけるＬＥＤチップＡ１３は発光した波長が３２０−３８０ｎｍであるが、本案はＬＥＤチップＡ１３が発光した波長が３６５ｎｍであることが好ましく、前記発光ダイオードＡ２０におけるＬＥＤチップＢ１４は発光した波長が３８０−４３０ｎｍであるが、本案はＬＥＤチップＢ１４が発光した波長が４０５ｎｍであることが好ましい。このように、従来技術の不足および欠陥を効果的に克服する。本案に係る発光ダイオードのネイル設備を採用すると、基本的に前記ネイル塗料に適用し、それを効果的に固化し、使用が極めて便利である。
【００３７】
本案はさらにネイル塗料固化用のＬＥＤランプのその他の補助構成を開示しており、ランプホルダー２をさらに含み、前記ランプホルダー２には電源プラグピン４およびヒートシンク５が接続され、前記基板６がヒートシンク５に固定される。
【００３８】
前記ランプホルダー２にはさらに係止ヘッド３が接続され、このように、本案に係るＬＥＤランプ管の取付けおよび固定接続に有利である。
【００３９】
（第５の実施例）
図４および図５に示すように、本実施例が第４の実施例との違いは、前記基板６にはさらに発光ダイオードＣ４０が集積される。前記発光ダイオードＣ４０は固定底枠１１と固定底枠１１にパッケージされるＬＥＤチップＣ１５とを含む。前記ＬＥＤチップＣ１５は発光した波長が６５０−６６０ｎｍであるが、前記ＬＥＤチップＣ１５は発光した波長が６６０ｎｍであることが好ましい。
【００４０】
周知のように、紫外線がスペクトルにおける紫色光の外に位置し、不可視光である。紫外線が照射されると、皮膚に大量の遊離基を発生させ、細胞膜の過酸化反応を引き起こし、メラニン細胞に多くのメラニンを発生させ、かつ上へ表皮角質層まで分布し、黒い斑点をもたらす。ネイル過程において、紫外線の作用時間が短いが、紫外線による皮膚の損傷をできるだけ回避する必要がある。
【００４１】
本実施例の既存の第４の実施例のもとで発光ダイオードＣ４０を増加する。このように設置すると、既存の長所を可変せず（各種のネイル塗料に対してよい固化效果を有する）、さらに第１の実施例における不足を解決し（紫外線が皮膚を黒くやすい）、発光ダイオードＣ４０を増加する。その発光した波長は６５０−６６０ｎｍであり、近赤外光であり、人体の皮膚が近赤外光に照射された後に、主に細胞のミトコンドリアに吸収される。ミトコンドリアは細胞の"肺"であり、近赤外光に照射された後に、ミトコンドリアのカタラーゼ活性を増加させることができ、このように、細胞の代謝を増加させ、グリコーゲンの含有量を増加させ、蛋白合成およびアデノシン三リン酸分解を増加させ、そのため、細胞合成を促進し、かつ遊離基を除去することができる。
【００４２】
（第６の実施例）
図４および図５に示すように、本実施例が第４の実施例との違いは黄色光源を増加することである。
【００４３】
本実施例は第４の実施例の基礎で、前記基板６にはさらに発光ダイオードＤ５０が集積され、前記発光ダイオードＤ５０は固定底枠１１と固定底枠１１にパッケージされるＬＥＤチップＤ１６とを含み、前記ＬＥＤチップＤ１６は発光した波長が５８０−５９０ｎｍである。
【００４４】
周知のように、紫外ＬＥＤランプは可視の青紫色光および不可視の紫外線を発射することができる。これらの光は使用者の目に不快を感じさせ、ネイル過程において、光ファイバーの作用時間が短いが、光線による人の不快をできるだけ回避する必要がある。
【００４５】
本実施例は第４の実施例の基礎で、前記基板６にはさらに発光ダイオードＤ５０が集積される。このように設置すると、このように設置すると、既存の長所を改変せず（各種のネイル塗料に対してよい固化效果を有する）、さらに第１の実施例における不足を解決し（紫外光は目を不快または損傷にしやすい）、発光ダイオードＤ５０を増加する。その発光した波長は５８０−５９０ｎｍであり、黄色光であり、色の光の相補の原理に基づいて、黄色光と紫外発光ダイオードから発した青紫色光とが混合し、温白色の光を取得することを採用し、従って使用者に快適な感覚をもたらす。
【００４６】
以上、本案の好ましい実施形態のみであり、本案の請求範囲に基づく構成、特徴および原理のすべての等価の変化または修飾は、いずれも本案の請求範囲に含まれる。
【符号の説明】
【００４７】
１、ネイル塗料固化用の発光ダイオード、１１、固定底枠、１２、透光性樹脂、１３、ＬＥＤチップＡ、１４、ＬＥＤチップＢ、１５、ＬＥＤチップＣ、１６、ＬＥＤチップＤ、２、ランプホルダー、３、係止ヘッド、４、電源プラグピン、５、ヒートシンク、６、基板、２０、発光ダイオードＡ、３０、発光ダイオードＢ、４０、発光ダイオードＣ、５０、発光ダイオードＤ。
【図１】
0003203160.tif 000003
【図２】
0003203160.tif 000004
【図３】
0003203160.tif 000005
【図４】
0003203160.tif 000006
【図５】
0003203160.tif 000007
【手続補正書】
【提出日】平成27年12月28日(2015.12.28)
【手続補正１】
【補正対象書類名】実用新案登録請求の範囲
【補正対象項目名】全文
【補正方法】変更
【補正の内容】
【実用新案登録請求の範囲】
【請求項１】
固定底枠（１１）と固定底枠（１１）にパッケージされるＬＥＤチップとを含むネイル塗料固化用の発光ダイオードであって、前記ＬＥＤチップはＬＥＤチップＡ（１３）とＬＥＤチップＢ（１４）とを含み、前記ＬＥＤチップＡ（１３）は発光した波長が３２０-３８０ｎｍであり、前記ＬＥＤチップＢ（１４）は発光した波長が３８０-４３０ｎｍであることを特徴とするネイル塗料固化用の発光ダイオード
【請求項２】
前記ＬＥＤチップはさらにＬＥＤチップＣ（１５）を含み、前記ＬＥＤチップＣ（１５）は発光した波長が６５０-６６０ｎｍであることを特徴とする請求項１に記載のネイル塗料固化用の発光ダイオード。
【請求項３】
前記ＬＥＤチップはさらにＬＥＤチップＤ（１６）を含み、前記ＬＥＤチップＤ（１６）は発光した波長が５８０-５９０ｎｍであることを特徴とする請求項１に記載のネイル塗料固化用の発光ダイオード。
【請求項４】
前記ＬＥＤチップＡ（１３）とＬＥＤチップＢ（１４）には蛍光粉末が塗布され、前記蛍光粉末が活性化された後に発光した波長が５８０-５９０ｎｍであることを特徴とする請求項１に記載のネイル塗料固化用の発光ダイオード。
【請求項５】
前記ＬＥＤチップＡ（１３）は発光した波長が３６５ｎｍであり、前記ＬＥＤチップＢ（１４）は発光した波長が４０５ｎｍであり、前記ＬＥＤチップＣ（１５）は発光した波長が６６０ｎｍであることを特徴とする請求項２に記載のネイル塗料固化用の発光ダイオード。
【請求項６】
前記ＬＥＤチップＡ（１３）は発光した波長が３６５ｎｍであり、前記ＬＥＤチップＢ（１４）は発光した波長が４０５ｎｍであことを特徴とするる請求項３または４に記載のネイル塗料固化用の発光ダイオード。
【請求項７】
前記ＬＥＤチップは透光性樹脂（１２）によって固定底枠にパッケージされることを特徴とする請求項１乃至５のいずれか一項に記載のネイル塗料固化用の発光ダイオード。
【請求項８】
ネイル塗料固化用のＬＥＤランプであって、基板（６）を含み、前記基板（６）には発光ダイオードＡ（２０）と発光ダイオードＢ（３０）とが集積され、前記発光ダイオードＡ（２０）は固定底枠（１１）と固定底枠（１１）にパッケージされるＬＥＤチップＡ（１３）とを含み、前記ＬＥＤチップＡ（１３）は発光した波長が３２０-３８０ｎｍであり、前記発光ダイオードＢ（３０）は固定底枠（１１）と固定底枠（１１）にパッケージされるＬＥＤチップＢ（１４）とを含み、前記ＬＥＤチップＢ（１４）は発光した波長が３８０-４３０ｎｍであることを特徴とするネイル塗料固化用のＬＥＤランプ。
【請求項９】
前記基板（６）にはさらに発光ダイオードＣ（４０）が集積され、前記発光ダイオードＣ（４０）は固定底枠（１１）と固定底枠（１１）にパッケージされるＬＥＤチップＣ（１５）とを含み、前記ＬＥＤチップＣ（１５）は発光した波長が６５０-６６０ｎｍであることを特徴とする請求項８に記載のネイル塗料固化用のＬＥＤランプ。
【請求項１０】
前記基板（６）にはさらに発光ダイオードＤ（５０）が集積され、前記発光ダイオードＤ（５０）は固定底枠（１１）と固定底枠（１１）にパッケージされるＬＥＤチップＤ（１６）とを含み、前記ＬＥＤチップＤ（１６）は発光した波長が５８０-５９０ｎｍであることを特徴とする請求項８に記載のネイル塗料固化用のＬＥＤランプ。
【請求項１１】
さらにランプホルダー（２）を含み、前記ランプホルダー（２）には電源プラグピン（４）およびヒートシンク（５）が接続され、前記基板（６）がヒートシンク（５）に固定され、前記ランプホルダー（２）にはさらに係止ヘッド（３）が接続されることを特徴とする請求項８乃至10のいずれか一項に記載のネイル塗料固化用のＬＥＤランプ。